(57)【要約】  【課題】  土地の地上部分を公園として用いるとともに、その土地の地下部分を納骨堂式の墓参施設として用いることで、都市計画上の制限がある土地であっても有効な利用を図ることができる納骨堂併設型の都市公園を提供すること。  【解決手段】  樹木地、草地、水辺地のうち少なくとも１又は２以上の自然空間を敷地内に有する地上公園と、その地上公園内の一画に建設されてロビーが内部に設けられる地上建造物と、その地上構造物の地下に建設され、その地上構造物と通路を通じて往来可能に形成される地下構造物と、その地下構造物の一部に画設されて墓参者が墓参するための祭壇部が設置される墓参スペースと、その墓参スペースとともに地下構造物の一部に画設され墓参者が指定する納骨箱を祭壇部へ搬送する自動納骨システムが配設される納骨スペースとを備えている。【選択図】        図２
2009019391.tif 000002
【特許請求の範囲】
【請求項１】
樹木地、草地、水辺地のうち少なくとも１又は２以上の自然空間を敷地内に有する地上公園と、
その地上公園内の地上の一画に建設され、その地上公園へ通ずるロビーが内部に設けられる地上建造物と、
その地上構造物の建設される前記地上公園の地下に建設され、その地上構造物と階段、エスカレータ、エレベータ又はスロープなどの通路を通じて往来可能に形成される地下構造物と、
その地下構造物の一部に画設されて墓参者が入室可能に形成され、墓参者が墓参するための祭壇部が設置される墓参スペースと、
その墓参スペースとともに前記地下構造物の一部に画設されるスペースであって、複数の納骨箱を収容する収容庫と当該収容庫から墓参者が指定する納骨箱を前記祭壇部へ搬送する搬送装置とを有する自動納骨システムが配設される納骨スペースとを備えていることを特徴とする納骨堂併設型の都市公園。
【請求項２】
前記地下構造物は複数階層に建設されており、
その地下構造物の各階層部は階段、エスカレータ、エレベータ又はスロープなどの通路を通じて相互に往来可能に形成されており、
その地下構造物の各階層部には前記墓参スペース及び納骨スペースがそれぞれ画設されており、
各階層部の前記墓参スペースには前記祭壇部がそれぞれ設置されており、
各階層部の前記納骨スペースには前記自動納骨システムがそれぞれ配設されており、
各階層部の前記自動納骨システムは、その同一階層に設置される前記祭壇部に対して前記収容庫から納骨箱を前記搬送装置によって搬送するものであることを特徴とする請求項１記載の納骨堂併設型の都市公園。
【請求項３】
前記地上構造物のロビーは、前記地上公園の休憩所として兼用されるものであることを特徴とする請求項１又は２に記載の納骨堂併設型の都市公園。
【発明の詳細な説明】
【技術分野】
【０００１】
本発明は、都市公園として利用される土地に納骨堂が併設される納骨堂併設型の都市公園に関するものである。
【背景技術】
【０００２】
都市部における公園や緑地は、人々のレクリエーションの場として都市生活に安らぎや憩いを与える機能、災害時の避難場所や延焼防止用地などとしての防災機能、ヒートアイランド現象緩和を図るための都市環境改善機能、及び、都市景観を改善維持するための景観機能などの各種の機能を有するため、特に、近年の都市計画における重要な整備対象となっている。
【０００３】
一方、近年の大都市圏における墓地需要は、老齢者人口の増加に伴って一層高まっている。また、墓地を求めている人々の中には、墓参の際における交通事情等に配慮して、都心部近郊に墓地を求めている者が数多く存在している。このため、大都市圏においては、多数の墓地需要に見合った墓地施設の整備が求められており、都市部の休眠状態にある土地を墓地施設として有効利用することが期待されている。
【特許文献１】特許第２７３１９９９号公報
【発明の開示】
【発明が解決しようとする課題】
【０００４】
ところが、都市部に存在する土地は、その都市計画上の制限から特定の用途以外には利用することができず、長期的な視点に立って有効に活用できず、その結果、休眠状態とならざるを得ないという問題点がある。例えば、都市部における都市計画公園区域内にある土地にあっては、上記した都市計画上の公園整備の重要性から、たとえ墓地整備に適した立地条件が整っていても、墓地としては利用することができないのである。
【０００５】
しかも、このような都市計画公園区域内においては、原則として、木造や鉄筋造等で地階を有しない２階までの建物しか建てられない都市計画上の制限があるため、特に、都市計画の事業化までに長期間を要する場合は、その土地の地権者が将来的に土地を有効に利用又は活用するための計画を立案しにくいという問題点もある。
【０００６】
本発明は、上述した問題点を解決するためになされたものであり、土地の地上部分を公園として用いるとともに、その土地の地下部分を納骨堂式の墓参施設として用いることで、都市計画上の制限がある土地であっても有効な利用を図ることができる納骨堂併設型の都市公園を提供することを目的としている。
【課題を解決するための手段】
【０００７】
この目的を達成するために請求項１の納骨堂併設型の都市公園は、樹木地、草地、水辺地のうち少なくとも１又は２以上の自然空間を敷地内に有する地上公園と、その地上公園内の地上の一画に建設され、その地上公園へ通ずるロビーが内部に設けられる地上建造物と、その地上構造物の建設される前記地上公園の地下に建設され、その地上構造物と階段、エスカレータ、エレベータ又はスロープなどの通路を通じて往来可能に形成される地下構造物と、その地下構造物の一部に画設されて墓参者が入室可能に形成され、墓参者が墓参するための祭壇部が設置される墓参スペースと、その墓参スペースとともに前記地下構造物の一部に画設されるスペースであって、複数の納骨箱を収容する収容庫と当該収容庫から墓参者が指定する納骨箱を前記祭壇部へ搬送する搬送装置とを有する自動納骨システムが配設される納骨スペースとを備えている。
【０００８】
この請求項１の納骨堂併設型の都市公園によれば、地上公園は、樹木地、草地、水辺地の少なくとも１つ又は２以上の自然空間を有するので、これが都市部の土地に整備されることで、人々のレクリエーションの場、災害時の避難場所、延焼防止の防災地、ヒートアイランド現象を緩和するための緑地、都市景観を改善する緑地として有効に利用される。しかも、この地上公園が都市計画公園区域内の土地に造成整備されるならば、かかる土地をまさしく都市計画に準じたかたちで適正に公園として有効活用することができる。
【０００９】
また、地上公園の敷地内の一画には地上構造物が建設されており、この地上構造物から通路を通じて地下構造物内へ降りていくことができ、その地下構造物内には墓参スペースと納骨スペースとが画設されている。さらに、この墓参スペースに設置される祭壇には、納骨スペース内の収容庫に収容されている納骨箱が墓参者の指定に応じて搬送されてくるため、かかる祭壇が一時的に故人の遺骨を祀った墓となり、墓参者が墓参することができるのである。このように、地上公園の地下には、自動納骨システムによって複数の納骨箱が管理される納骨堂式の墓参施設が併設されている。
【００１０】
しかも、この地上公園の地下に併設される墓参施設は、上記したように自動納骨システムを採用するので、かかる地上公園が街区公園や近隣公園などの敷地面積の比較的小さな公園サイズであっても、例えば、数万基以上の納骨箱について収容できかつ墓参できる環境を整備することができる。よって、例えば、本発明を都市部に多数存在する狭小な既設の公園に適用すれば、都市部に十分な収容基数の納骨場所を確保するも可能となり、大都市圏の墓地需要に応じた墓地供給も達成される得るのである。
【００１１】
請求項２の納骨堂併設型の都市公園は、請求項１の納骨堂併設型の都市公園において、前記地下構造物は複数階層に建設されており、その地下構造物の各階層部は階段、エスカレータ、エレベータ又はスロープなどの通路を通じて相互に往来可能に形成されており、その地下構造物の各階層部には前記墓参スペース及び納骨スペースがそれぞれ画設されており、各階層部の前記墓参スペースには前記祭壇部がそれぞれ設置されており、各階層部の前記納骨スペースには前記自動納骨システムがそれぞれ配設されており、各階層部の前記自動納骨システムは、その同一階層に設置される前記祭壇部に対して前記収容庫から納骨箱を前記搬送装置によって搬送するものである。
【００１２】
この請求項２の納骨堂併設型の都市公園によれば、請求項１の納骨堂併設型の都市公園と同様に作用する上、墓参スペース及び納骨スペースは、複数階層化された地下構造物の各階層部にそれぞれ設置されており、各階層部にある祭壇では、その階層の納骨スペースに配設される自動納骨システムによって収容保管される納骨箱が搬送されてきて墓参することができる。なお、墓参者は、自分が墓参しようとしている故人の納骨箱が収容される収容庫がある階層まで、地上公園内にある地上構造物のロビーから通路を通じて降りていくのである。
【００１３】
請求項３の納骨堂併設型の都市公園は、請求項１又は２の納骨堂併設型の都市公園において、前記地上構造物のロビーは、前記地上公園の休憩所として兼用されるものである。
【００１４】
この請求項３の納骨堂併設型の都市公園によれば、請求項１又は２の納骨堂併設型の都市公園と同様に作用する上、墓参施設のロビーでもある地上構造物のロビーを地上公園の休憩所として兼用することで、その景観上も機能上も墓参施設を地上公園の一部として融合させることができ、その地上公園の整備地周辺の環境とも調和させることができる。
【発明の効果】
【００１５】
本発明の納骨堂併設型の都市公園によれば、例えば、都市部において都市計画公園区域に指定されている土地であっても、その地上部分を公園として用いるとともに、その土地の地下部分を納骨堂式の墓参施設として用いるので、そこに建設可能な建築物に制限が設けられていても、その土地をまさしく公園として適正に再整備できるとともに、その土地の地権者が当該土地を墓参施設として有効利用することもできるという効果がある。
【発明を実施するための最良の形態】
【００１６】
以下、本発明の好ましい実施例について、添付図面を参照して説明する。図１は、本発明の一実施例である都市公園１の地上部分の平面図である。図１に示すように、この都市公園１は、その整備地の地上部分に地上公園２が造成整備されており、かかる整備地が都市計画公園区域内にあるならば、それをまさに都市部の公園として機能するものである。
【００１７】
なお、本実施例では、この都市公園１の敷地面積が約４５００坪とされている。
【００１８】
この地上公園２は、その整備地の敷地内が駐車エリア３と施設エリア４との二種類のエリアに区画されており、これら双方のエリア３，４にはそれぞれ樹木地、草地、及び、水辺地の３種類の自然空間が全体的に設けられている。駐車エリア３は、施設エリア４に比べて狭小な面積配分とされており、来訪者の自家用車などの車両を駐車するための複数の駐車スペース５が設けられている。
【００１９】
施設エリア４は、構内道路６を通じて駐車エリア３と往来可能とされており、この構内道路６は、駐車エリア３と施設エリア４との間を往来する歩行者や車両のための遊歩道及び車道として兼用されるものである。また、この施設エリア４の中央部の一画には、地上公園２の地上部分に露出した状態で地上構造物７が建設されており、この地上構造物７の脇にも十数台分の駐車スペース５が設けられている。
【００２０】
図２は、都市公園１の縦断面図であって、図１のＩＩ−ＩＩ線における縦断面図である。図２に示すように、地上構造物７は、地上１階の低階層鉄筋コンクリート構造物であり、その内部にロビー８が設けられている。この地上構造物７のロビー８は、玄関１２を通じて地上公園２の屋外と往来可能であって、納骨及び墓参施設である地下構造物９に附属するロビー８として利用されるとともに、地上公園２の休憩所としても兼用される空間である。
【００２１】
また、この地上構造物７の地下には、この地上構造物７に連続して地下構造物９が建設されている。この地下構造物９は、納骨堂及び墓参所として機能するものであって、地下４階の複数階層の鉄筋コンクリート構造物である。つまり、都市公園１は、地上公園２に納骨施設及び墓参施設が併設された多目的公園として機能するものである。
【００２２】
さらに、地上構造物７のロビー８と地下構造物９の各階層部（地下１階から地下４階までの各階）とはエレベータ１０及び階段１１（図３参照）の通路手段を通じて接続されており、地上構造物７の屋内と地下構造物９の各階層部の屋内との間を人が往来できるように構成されている。
【００２３】
なお、本実施例では、地上構造物７の床面積が約２００坪、地下構造物９の各階層部の床面積が約１３５０坪、及び、地下４階分の総床面積が５４００坪とされている。
【００２４】
図３は、都市公園１の地上構造物７の内部平面図である。図３に示すように、地上構造物７は、その正面に設けられる玄関１２と、その玄関１２を通じて人が往来可能なロビー８と、そのロビー８の一画に設置されるエレベータ１０及び階段１１とを備えている。地上公園２の利用者や、地下構造物９内の墓参施設の利用者は、この地上構造物７のロビー８で休憩したり、歓談したり、待ち合わせをしたりすることができる。
【００２５】
また、地上構造物７のロビー８の略中央部には、地下構造物９の地下１階の中央廊下１３と通ずる吹き抜け１４が設けられており、この吹き抜け１４を通じて、地上構造物７の屋根部に設けられた採光窓１５（図１及び図３参照）から差し込む太陽光が地下構造物９の地下１階にも照射されるように形成されている。なお、当然のことながら、採光窓１５からの太陽光は地上構造物７のロビー８内にも照射される。
【００２６】
図４は、地下構造物９の地下１階部の内部平面図である。また、地下構造物９の地下２階から地下４階までの各階層部については、地下１階部と同様に構成されているので、その図示を省略する。図４に示すように、地下構造物９の内部は、その縦方向（図４上下方向）に縦断する中央廊下１３が設けられており、この中央廊下１３の縦方向両側には地上へと通ずる非常階段１６がそれぞれ設けられている。
【００２７】
また、この地下構造物９の地下１階、地下２階及び地下３階の各階層部の中央廊下１３には、地上構造物７の吹き抜け１４に対応する部分の床面に、透光性を有する床材で塞がれた採光部１７が複数箇所に配設されている。このため、地上構造物７の採光窓１５から差し込む太陽光が、地下構造物９の各階層部へと照射されるのである。
【００２８】
さらに、地下構造物９の地下１階の階層部内には、その中央廊下１３の幅方向（図４左右方向）両側に、この中央廊下１３を挟んでほぼ左右対称な空間が設けられており、この左右の各空間が更に細かく仕切られることで、複数の墓参スペース１８と複数の納骨スペース１９とが画設されている。
【００２９】
墓参スペース１８と納骨スペース１９とは、地下構造物９の縦方向（図４上下方向）に交互に配置されており、地下構造物９の各階層部には１０室の墓参スペース１８と、１４室の納骨スペース１９とがそれぞれ画設されている。また、各墓参スペース１８には、中央廊下１３から出入りできる出入口２０が設けられており、この墓参スペース１８と納骨スペース１９とを仕切る壁面部に墓参用の祭壇部２１が複数設置されている。
【００３０】
また、各納骨スペース１９内には、それぞれ自動納骨システム２２が配設されており、これらの自動納骨システム２２は、複数の納骨箱を収容する収容庫２２ａと、当該収容庫２２ａから墓参者が指定する納骨箱を祭壇部２１へ搬送する搬送装置（図示せず）とを備えている。
【００３１】
なお、地下構造物９には、１階層当たり２０基の自動納骨システム２２が配設され、４階層全体としては合計８０基の自動納骨システム２２が配設されており、全体として１２８０００基の納骨箱を収容することができるものである。
【００３２】
このように納骨施設及び墓参施設として機能する地下構造物９によれば、墓参者は、地上構造物７のロビー８内から階段１１又はエレベータ１０を通じて地下構造物９の各階層部のいずれかへ赴き、その階層部の中央廊下１３を通って、故人の納骨箱が収容されている納骨スペース１９に対応する墓参スペース１８へ出入口２０から入室する。
【００３３】
そして、墓参者が祭壇部２１に所定の操作又は指令を行うと、自動納骨システム２２を制御管理する制御装置（図示せず）によって、その操作又は指令に応じた故人の納骨箱が指定されて、その納骨箱が収容庫２２ａから搬送装置によって祭壇部２１まで搬送される。すると、この祭壇部２１が故人を祀る仏壇又はお墓としての機能を発揮することとなるので、この祭壇部２１を用いて墓参者が故人の墓参を行うことができる。
【００３４】
なお、図示は省略するものの、地下構造物９の地下２階から地下４階までの各階層部についても、地下１階の階層部と同様に、複数の墓参スペース１８及び複数の納骨スペース１９がそれぞれ画設されており、各墓参スペース１８には祭壇部２１がそれぞれ設置され、各納骨スペース１９には自動納骨システム２２がそれぞれ配設されている。
【００３５】
以上、実施例に基づき本発明を説明したが、本発明は上記実施例に何ら限定されるものではなく、本発明の趣旨を逸脱しない範囲内で種々の改良変形が可能であることは容易に推察できるものである。
【００３６】
例えば、本実施例では、地上公園２には樹木地、草地、及び、水辺地の全ての自然空間が設けられたが、地上公園の構成内容は必ずしもこれに限定されるものではなく、例えば、樹木地、草地、水辺地のうち少なくとも１又は２以上の自然空間を敷地内に有するものであれば良い。
【００３７】
また、本実施例では、地上構造物７が地上１階とされ、地下構造物９が地下４階とされたが、かかる地上構造物及び地下構造物の階数は必ずしもこれらに限定されるものではなく、地上構造物は地上２階以上であっても良く、地下構造物は地下４階未満又は地下５階以上であっても良い。
【図面の簡単な説明】
【００３８】
【図１】本発明の一実施例である都市公園の地上部分の平面図である。
【図２】都市公園の縦断面図である。
【図３】都市公園の地上構造物の内部平面図である。
【図４】地下構造物の地下１階部の内部平面図である。
【符号の説明】
【００３９】
１                    都市公園（納骨堂併設型の都市公園）
２                    地上公園
７                    地上構造物
８                    ロビー
９                    地下構造物
１０                  エレベータ（エレベータ、通路）
１１                  階段（階段、通路）
１８                  墓参スペース
１９                  納骨スペース
２１                  祭壇部
２２                  自動納骨システム
２２ａ                収容庫
【図１】
2009019391.tif 000003
【図２】
2009019391.tif 000004
【図３】
2009019391.tif 000005
【図４】
2009019391.tif 000006